(57)【要約】【課題】第三者管理センタに送るべきカードデータに係る不正行為を効率良く未然に抑制することを課題とする。【解決手段】Ｔ／Ｃ１００は、遊技店の閉店後に行われる第三者管理センタ１５０に対するカードデータの未送信が検知され、このカードデータの累積未送信回数が所定の回数以上であると判定された際には、カード処理機４００に対して利用制限指示信号を送信し、カード処理機４００は、Ｔ／Ｃ１００から送信された利用制限指示信号を受信した際には、縮退運用モードにより高額紙幣の使用を不可とする利用制限を行う。【選択図】        図１
2007202949.tif 000002
【特許請求の範囲】
【請求項１】
遊技機に併設された貸出処理機の遊技媒体貸出処理に用いられる各記録媒体に関連付けられた有価価値を管理装置で管理し、該管理装置により管理された各記録媒体に係る管理情報を所定の第三者管理センタに送信して前記管理情報の第三者管理を行う遊技媒体貸出システムであって、
前記管理装置は、
前記第三者管理センタへの管理情報の送信可否を検知する検知手段と、
前記検知手段により前記第三者管理センタに対する管理情報の未送信が検知された場合に、遊技媒体貸出に係る利用制限を行う利用制限手段と
を備えたことを特徴とする遊技媒体貸出システム。
【請求項２】
前記利用制御手段は、前記検知手段により前記第三者管理センタに対する管理情報の未送信が検知された場合に、各貸出処理機に対して利用制限指示を行い、
前記貸出処理機は、前記管理装置から利用制限指示を受け付けた場合に、遊技媒体貸出に係る利用制限を行うよう制御する利用制限制御手段と、前記管理装置から利用制限指示を受け付けた場合に、利用制限状態である旨を報知する利用制限報知手段と
を備えたことを特徴とする請求項１に記載の遊技媒体貸出システム。
【請求項３】
前記利用制限手段は、前記検知手段により前記第三者管理センタに対する管理情報の未送信が検知され、かつ、該管理情報の再送信までに所定の期間以上経過した場合には、遊技媒体貸出に係る利用制限を行うことを特徴とする請求項１又は２に記載の遊技媒体貸出システム。
【請求項４】
前記利用制限手段は、前記検知手段により前記第三者管理センタに対する管理情報の未送信が検知され、かつ、過去の累積未送信回数が所定の回数以上である場合には、遊技媒体貸出に係る利用制限を行うことを特徴とする請求項１又は２に記載の遊技媒体貸出システム。
【請求項５】
前記利用制限手段は、所定の記録媒体発行装置からの高額紙幣を用いた記録媒体の発行の禁止並びに前記貸出処理機での記録媒体への高額紙幣を用いて有価価値の価値付けの禁止を含む利用制限を行うことを特徴とする請求項１〜４のいずれか一つに記載の遊技媒体貸出システム。
【請求項６】
前記利用制限手段は、所定の記録媒体発行装置からの記録媒体の発行の禁止並びに前記貸出処理機での記録媒体への有価価値の価値付けの禁止を含む利用制限を行うことを特徴とする請求項１〜４のいずれか一つに記載の遊技媒体貸出システム。
【請求項７】
前記利用制限手段は、前記第三者管理センタからの利用制限解除指示を受け付けた場合に前記利用制限を解除して通常運用に移行制御することを特徴とする請求項１〜６のいずれか一つに記載の遊技媒体貸出システム。
【請求項８】
遊技機に併設された貸出処理機の遊技媒体貸出処理に用いられる各記録媒体に関連付けられた有価価値を管理装置で管理し、該管理装置により管理された各記録媒体に係る管理情報を所定の第三者管理センタに送信して前記管理情報の第三者管理を行う遊技媒体貸出方法であって、
前記管理装置が、前記第三者管理センタへの管理情報の送信可否を検知する検知工程と、
前記検知工程により前記第三者管理センタに対する管理情報の未送信が検知された場合に、遊技媒体貸出に係る利用制限を行う利用制限工程と
を含んだことを特徴とする遊技媒体貸出方法。
【発明の詳細な説明】
【技術分野】
【０００１】
本発明は、遊技機に併設された貸出処理機の遊技媒体貸出処理に用いられる各記録媒体に関連付けられた有価価値を管理装置で管理し、該管理装置により管理された各記録媒体に係る管理情報を所定の第三者管理センタに送信して管理情報の第三者管理を行う遊技媒体貸出システム及び遊技媒体貸出方法に関し、特に、遊技店から第三者管理センタに定期的に管理情報を送信してインのクリアを図る場合に、第三者管理センタに送るべき管理情報に係る不正行為を図る遊技店に制裁を科しつつ該不正行為を効率良く未然に抑制することができる遊技媒体貸出システム及び遊技媒体貸出方法に関する。
【背景技術】
【０００２】
従来、遊技店内にカード発行機、カード処理機及びカード精算機と呼ばれるプリペイドカードに係る各種装置を配設し、遊技客がパチンコに併設されたカード処理機にプリペイドカードを挿入して所定の操作を行うことにより、遊技客にパチンコ玉等の遊技媒体を貸し出すシステムが知られている。
【０００３】
この種のプリペイドカードシステムでは、ホールコンピュータやターミナルコントローラと呼ばれる管理装置（以下「Ｔ／Ｃ」と言う）で各プリペイドカードの残度数等を管理するとともに、かかるＴ／Ｃから公正な第三者が管理する第三者管理センタにカードデータを売上情報として定期的に送信することによっていわゆる「インのクリア」を実現し、これにより遊技店による脱税等の不正行為を防止している。
【０００４】
例えば、特許文献１には、現金式貸出処理機とカード式貸出処理機が混在した環境においても、従来装置の改造を伴うことなく安価にインのクリアを実現するために、現金式貸出処理機からのパルスを売上情報に変換してカードデータとともに第三者管理センタに送信するよう構成した遊技媒体貸出システムが開示されている。
【０００５】
かかるプリペイドカードシステムにおいて、例えば、回線不調（通信障害）等によりＴ／Ｃと第三者管理センタの間でカードデータを授受できない場合には、第三者管理センタを運営するカード会社から遊技店に対して機器を確認するように指示するとともに、状況によっては機器の修復を行うメンテ要員を遊技店に派遣することになる。そして、通信が途絶している間は、遊技店はオフラインでプリペイドカードの関連機器を運営し、通信障害が復旧した後にカードデータを第三者管理センタに対して送信することになる。
【０００６】
【特許文献１】特開２００１−１２０８１８号公報
【発明の開示】
【発明が解決しようとする課題】
【０００７】
しかしながら、上記従来のプリペイドカードシステムを用いた場合には、遊技店の従業者が意図的にＴ／Ｃと第三者管理センタと間の通信回線を断線等により途絶させ、この通信回線が復旧するまでの間にカードデータを改竄して実際のカード利用額よりも少ないカード利用額を第三者管理センタに送信する不正が行われる可能性がある。特に、Ｔ／Ｃと第三者管理センタとの間の通信回線が長期に亘って途絶すると、途絶している間のカードデータの容量がＴ／Ｃの記憶容量を越えてしまうため、この点を利用して遊技店がカードデータに係る不正を行う可能性もある。
【０００８】
このような意図的な通信途絶が頻繁に行われると、第三者管理センタを運営するカード会社がオフラインでの対応に多くの人的労力を割かねばならないために、カード会社の円滑な業務運営に支障を来す可能性もある。
【０００９】
これらのことから、遊技店により意図的に第三者管理センタとの通信を途絶させてカードデータ等の管理情報に係る不正行為をいかにして抑制するかが極めて重要な課題となっている。
【００１０】
本発明は、上述した従来技術の課題（問題点）を解消するためになされたものであり、遊技店から第三者管理センタに定期的に管理情報を送信してインのクリアを図る場合に、第三者管理センタに送るべき管理情報に係る不正行為を図る遊技店に制裁を科しつつ該不正行為を効率良く未然に抑制することができる遊技媒体貸出システム及び遊技媒体貸出方法を提供することを目的とする。
【課題を解決するための手段】
【００１１】
上述した課題を解決し、目的を達成するために、本発明は、遊技機に併設された貸出処理機の遊技媒体貸出処理に用いられる各記録媒体に関連付けられた有価価値を管理装置で管理し、該管理装置により管理された各記録媒体に係る管理情報を所定の第三者管理センタに送信して前記管理情報の第三者管理を行う遊技媒体貸出システムであって、前記管理装置は、前記第三者管理センタへの管理情報の送信可否を検知する検知手段と、前記検知手段により前記第三者管理センタに対する管理情報の未送信が検知された場合に、遊技媒体貸出に係る利用制限を行う利用制限手段とを備えたことを特徴とする。
【００１２】
また、本発明は、上記発明において、前記利用制御手段は、前記検知手段により前記第三者管理センタに対する管理情報の未送信が検知された場合に、各貸出処理機に対して利用制限指示を行い、前記貸出処理機は、前記管理装置から利用制限指示を受け付けた場合に、遊技媒体貸出に係る利用制限を行うよう制御する利用制限制御手段と、前記管理装置から利用制限指示を受け付けた場合に、利用制限状態である旨を報知する利用制限報知手段とを備えたことを特徴とする。
【００１３】
また、本発明は、上記発明において、前記利用制限手段は、前記検知手段により前記第三者管理センタに対する管理情報の未送信が検知され、かつ、該管理情報の再送信までに所定の期間以上経過した場合には、遊技媒体貸出に係る利用制限を行うことを特徴とする。
【００１４】
また、本発明は、上記発明において、前記利用制限手段は、前記検知手段により前記第三者管理センタに対する管理情報の未送信が検知され、かつ、過去の累積未送信回数が所定の回数以上である場合には、遊技媒体貸出に係る利用制限を行うことを特徴とする。
【００１５】
また、本発明は、上記発明において、前記利用制限手段は、所定の記録媒体発行装置からの高額紙幣を用いた記録媒体の発行の禁止並びに前記貸出処理機での記録媒体への高額紙幣を用いて有価価値の価値付けの禁止を含む利用制限を行うことを特徴とする。
【００１６】
また、本発明は、上記発明において、前記利用制限手段は、所定の記録媒体発行装置からの記録媒体の発行の禁止並びに前記貸出処理機での記録媒体への有価価値の価値付けの禁止を含む利用制限を行うことを特徴とする。
【００１７】
また、本発明は、上記発明において、前記利用制限手段は、前記第三者管理センタからの利用制限解除指示を受け付けた場合に前記利用制限を解除して通常運用に移行制御することを特徴とする。
【００１８】
また、本発明は、遊技機に併設された貸出処理機の遊技媒体貸出処理に用いられる各記録媒体に関連付けられた有価価値を管理装置で管理し、該管理装置により管理された各記録媒体に係る管理情報を所定の第三者管理センタに送信して前記管理情報の第三者管理を行う遊技媒体貸出方法であって、前記管理装置が、前記第三者管理センタへの管理情報の送信可否を検知する検知工程と、前記検知工程により前記第三者管理センタに対する管理情報の未送信が検知された場合に、遊技媒体貸出に係る利用制限を行う利用制限工程とを含んだことを特徴とする。
【発明の効果】
【００１９】
本発明によれば、管理装置は、第三者管理センタへの管理情報の送信可否を検知する検知手段と、検知手段により第三者管理センタに対する管理情報の未送信が検知された場合に、遊技媒体貸出に係る利用制限を行う利用制限手段とを備えるよう構成したので、第三者管理センタに送るべきカードデータに係る不正行為を効率良く未然に抑制することができ、これによって、遊技店への勧告やメンテナンス要員の手配等に係る手間や作業を軽減することができる。
【００２０】
本発明によれば、利用制御手段は、検知手段により第三者管理センタに対する管理情報の未送信が検知された場合に、各貸出処理機に対して利用制限指示を行い、貸出処理機は、管理装置から利用制限指示を受け付けた場合に、遊技媒体貸出に係る利用制限を行うよう制御する利用制限制御手段と、管理装置から利用制限指示を受け付けた場合に、利用制限状態である旨を報知する利用制限報知手段とを備えるよう構成したので、第三者管理センタに送るべきカードデータに係る不正行為を効率良く未然に抑制することができるうえ、このカードデータに係る不正行為に対する利用制限状態を的確に報知することができる。
【００２１】
また、本発明によれば、利用制限手段は、前記検知手段により前記第三者管理センタに対する管理情報の未送信が検知され、かつ、該管理情報の再送信までに所定の期間以上経過した場合には、遊技媒体貸出に係る利用制限を行うよう構成したので、カードデータの未送信期間に基づいて、制裁の対象となる遊技店に対して的確な利用制限を行うことができる。
【００２２】
また、本発明によれば、利用制限手段は、前記検知手段により前記第三者管理センタに対する管理情報の未送信が検知され、かつ、過去の累積未送信回数が所定の回数以上である場合には、遊技媒体貸出に係る利用制限を行うよう構成としたので、カードデータの累積未送信回数に基づいて、制裁の対象となる遊技店に対して的確な利用制限を行うことができる。
【００２３】
また、本発明によれば、利用制限手段は、所定の記録媒体発行装置からの高額紙幣を用いた記録媒体の発行の禁止並びに貸出処理機での記録媒体への高額紙幣を用いて有価価値の価値付けの禁止を含む利用制限を行うよう構成したので、高額紙幣に係る利用制限により第三者管理センタに送るべき管理情報に係る不正行為を図る遊技店に制裁を科しつつ不正行為を効率良く未然に抑制することができる。
【００２４】
また、本発明によれば、利用制限手段は、所定の記録媒体発行装置からの記録媒体の発行の禁止並びに貸出処理機での記録媒体への有価価値の価値付けの禁止を含む利用制限を行うよう構成したので、制裁の対象となる遊技店に対してより的確な利用制限を行うことができ、より不正行為を効率良く未然に抑制することができる。
【００２５】
また、本発明によれば、利用制限手段は、前記第三者管理センタからの利用制限解除指示を受け付けた場合に前記利用制限を解除して通常運用に移行制御するよう構成したので、通信回線の復帰によりカードデータの送信が行われた場合には、利用制限による縮退運用モードが解除され、これによって、通常の貸し出し運用を行うことができる。
【発明を実施するための最良の形態】
【００２６】
以下に添付図面を参照して、本発明に係る遊技媒体貸出システム及び遊技媒体貸出方法の好適な実施例を詳細に説明する。なお、以下に示す実施例では、本発明に係る遊技媒体貸出システムをプリペイドカードを用いてパチンコ玉の玉貸し処理を行うカードシステムに適用した場合について説明する。また、本実施例で用いるカードシステムでは、通常運用時に遊技客がカード処理機上で高額紙幣を用いた追加入金によりプリペイドカードに度数を価値付けることが可能であるものとする。
【実施例】
【００２７】
（カードシステムの概念）
まず、本実施例に係るカードシステムの概念について説明する。図１は、本実施例に係るカードシステムにおけるＴ／Ｃ１００とカード処理機４００による利用制限の概念を説明するための説明図である。
【００２８】
ここで、遊技店のＴ／Ｃ１００から第三者管理センタ１５０に対してカードデータを送信するタイミングには、リアルタイムで順次送信するケース、一定時間ごと（例えば１時間ごと）に送信するケース、遊技店の閉店後にその日のカードデータをまとめて送信するケースがあるが、本実施例では遊技店の閉店時（例えば、２３時）にカードデータを送信することとする。
【００２９】
同図に示すように、遊技店内の複数のパチンコ機３００にはそれぞれカード処理機４００が併設されており、各カード処理機４００は、島コントローラ２００を介してＴ／Ｃ１００に接続されている。
【００３０】
また、各遊技店のＴ／Ｃ１００は、第三者機関であるカード会社により管理される第三者管理センタ１５０と接続されており、この第三者管理センタ１５０には、各遊技店のＴ／Ｃ１００からカードデータが送信される。第三者管理センタ１５０は、各遊技店のＴ／Ｃ１００から受信したカードデータを売上情報として収集することにより、各遊技店の売上情報を統括的に管理する。
【００３１】
Ｔ／Ｃ１００は、プリペイドカードのカードＩＤと残度数等とを対応付けて管理する管理装置である。遊技客がカード処理機４００に現金を挿入すると、この現金分の度数がカード処理機４００内のプリペイドカードのカードＩＤに対応付けてカードデータ管理テーブル１３１上で管理される。
【００３２】
かかるＴ／Ｃ１００は、第三者管理センタ１５０に対するカードデータの未送信が検知され、かつ、過去の累積未送信回数が所定の回数以上であると判定した際には、対象となる遊技店（通信障害が発生した遊技店）のカード処理機４００に対して、利用制限による縮退運用をかけるように構成されている。
【００３３】
具体的に説明すると、遊技店は閉店時にＴ／Ｃ１００から第三者管理センタ１５０に対して、カードデータを送信するようにしており、このカードデータの送信可否（通信回線の途絶の有無）を通信状況検知部１２１（図２）により検知し、過去の累積未送信回数が所定の回数以上であるかを利用制限判定部１２２（図２）により判定している。そして、この判定の結果、累積未送信回数が所定の回数以上であると判定された場合、カード処理機４００に対して利用制限による縮退運用を指示する利用制限指示信号を送信するようにしている。
【００３４】
カード処理機４００は、このカード処理機４００のカード挿入／返却口４０４から残度数のあるプリペイドカードが挿入されると、このプリペイドカードのカードＩＤに対応する残度数をＴ／Ｃ１００から取得して、残度数の範囲内で玉貸し許可信号を送出する処理や遊技客により紙幣投入口４０２から投入された現金分の度数を装置内部に貯留したプリペイドカードに価値付ける処理や、パチンコ機３００から玉貸し要求を受け付けた場合に、プリペイドカードの残度数の範囲内でパチンコ機３００に玉貸し許可信号を送出する処理等を行う装置である。
【００３５】
かかるカード処理機４００は、Ｔ／Ｃ１００から送信される利用制限指示信号に基づいて、利用制限による縮退運用を行なう構成としている。具体的に説明すると、Ｔ／Ｃ１００から利用制限指示信号を受信したカード処理機４００は、利用制限による縮退運用モードとなるように構成されている。
【００３６】
この利用制限による縮退運用モードとは、第三者管理センタ１５０に対するカードデータの未送信が検知され、このカードデータの未送信累積回数が所定の回数以上であると判定した場合に、カード処理機４００において、１０００円札（低額紙幣）のみの使用を許可し、１００００円札や５０００円札等の高額紙幣の使用を不可とする利用制限のことを示している。この場合、カード処理機４００には利用制限中である旨を報知する利用制限ランプ４０３ａが点灯するとともに、利用制限表示部４０３ｂに利用制限中であることを示すガイダンスが表示される。
【００３７】
ここで、Ｔ／Ｃ１００は、第三者管理センタ１５０に対するカードデータの送信が可能となった場合に、カード処理機４００に対して、利用制限を解除する旨を示す利用制限解除信号を送信し、カード処理機４００は、Ｔ／Ｃ１００から送信された利用制限解除信号を受信すると、利用制限による縮退運用モードを解除し、１０００円札以外に１００００円札等の高額紙幣も使用できる通常運用モードとなるように構成されている。この場合、カード処理機４００の利用制限ランプ４０３ａ及び利用制限表示部４０３ｂに表示されていたガイダンスは消灯する。
【００３８】
したがって、本実施例のカードシステムは、第三者管理センタ１５０に対するカードデータの未送信が検知され、このカードデータの未送信累積回数が所定の回数以上であると判定した場合には、カード処理機４００に対して利用制限による縮退運用を指示する利用制限指示信号を送信し、カード処理機４００は、利用制限指示信号を受信した際には、高額紙幣の使用を不可とする縮退運用モードによる貸し出し処理を行うように構成したので、このようにカードシステムの運用が縮退すると、遊技店としては、営業に支障を来たすため、これによって、第三者管理センタに送るべきカードデータに係る不正行為を効率良く未然に抑制することが可能となる。この結果、遊技店への勧告やメンテナンス要員の手配等に係る手間を軽減することができる。
【００３９】
（Ｔ／Ｃ１００の構成）
次に、図１に示したターミナルコントローラ（Ｔ／Ｃ）１００の内部構成について説明する。図２は、図１に示したＴ／Ｃ１００の内部構成を示す機能ブロック図である。同図に示すように、このＴ／Ｃ１００は、表示部１１０と、表示制御部１１１と、制御部１２０と、記憶部１３０と、入力部１４１と、出力部１４２と、通信Ｉ／Ｆ部１４３とを有する。
【００４０】
表示部１１０は、ＣＲＴや液晶ディスプレイ等の表示デバイスであり、この表示部１１０には、メニュー画面や各種管理データ等を一覧として表示することができる。なお、この表示部１１０は、タッチパネルとして後述する入力部１４１の機能をも実現するようにしてもよい。また、表示制御部１１１は、表示部１１０による表示を制御する処理部である。
【００４１】
制御部１２０は、Ｔ／Ｃ１００を全体制御する制御部であり、通信状況検知部１２１と、利用制限判定部１２２と、利用制限処理部１２３とを有する。なお、実際には、かかる利用制限判定部１２２及び利用制限処理部１２３に相当するプログラムをＣＰＵ上にロードして実行することになる。
【００４２】
通信状況検知部１２１は、Ｔ／Ｃ１００と第三者管理センタ１５０との通信回路の途絶による通信障害を検知する部分である。具体的には、遊技店の閉店時にＴ／Ｃ１００から第三者管理センタ１５０に対して、カードデータを送信しようとした際に、通信回線の途絶によりカードデータの送信が不可（未送信）となったことを検知する。
【００４３】
利用制限判定部１２２は、通信状況検知部１２１により第三者管理センタ１５０に対するカードデータの未送信が検知された際に、このカードデータの過去の累積未送信回数が所定の回数以上であるかを判定する処理部である。
【００４４】
具体的に説明すると、前述したように、本実施例では、遊技店のＴ／Ｃ１００から第三者管理センタ１５０にカードデータを送信する時間を遊技店の閉店後（例えば、２３時）としているため、この利用制限判定部１２２による判定条件としては、Ｔ／Ｃ１００から第三者管理センタ１５０に対して、カードデータの送信ができなかった回数（累積未送信回数）を設定し、例えば、遊技店の閉店後、所定の回数以上（例えば、３回以上）カードデータの送信が行われなかったことを判定することとしている。
【００４５】
利用制限処理部１２３は、利用制限判定部１２２により第三者管理センタ１５０に対するカードデータの未送信累積回数が所定の回数以上であると判定された場合、カード処理機４００に対して利用制限指示信号を送信する処理部である。
【００４６】
記憶部１３０は、ハードディスク等の二次記憶媒体であり、ここにはカードデータ管理テーブル１３１を少なくとも有する。このカードデータ管理テーブル１３１は、遊技店に設置してある複数のカード処理機４００から送信されるカードデータ（カードＩＤ別の残度数）を記憶するテーブルである。
【００４７】
図３は、このカードデータ管理テーブル１３１の一例を示している。同図に示すように、このカードデータ管理テーブル１３１には、カードＩＤ毎に、発行日時、発行金額、残度数、追加入金額、有効期限等の各種データが記憶されている。残度数の欄には、カード処理機４００での追加入金も含めた現時点での残度数データが記憶されている。また、追加入金額の欄には、カード処理機４００での追加入金の累積額が記憶されている。
【００４８】
図２に戻り、入力部１４１は、各種の情報を入力するキーボード、マウス及びトラックボールなどの入力デバイスであり、主として遊技店の管理者により使用され、この入力部１４１を用いた入力により、各種の設定値等を適時変更することができる。
【００４９】
出力部１４２は、プリンタなどの印刷部であり、この出力部１４２により表示部１１０に表示されるメニュー画面や各種の管理データ等を一覧として印刷することができる。
【００５０】
通信Ｉ／Ｆ部１４３は、島コントローラ２００を介してカード処理機４００とデータ通信するためのインターフェース部である。また、第三者管理センタ１５０に対して、カードデータ等をデータ通信するためのインターフェース部である。
【００５１】
（パチンコ機３００及びカード処理機４００の構成）
次に、図４及び図５を参照してパチンコ機３００及びカード処理機４００の構成について説明する。図４は、図１に示したパチンコ機３００及びカード処理機４００の外観正面図であり、図５は、カード処理機４００の内部構成を示すブロック図である。
【００５２】
図４に示すように、カード処理機４００は、外見上縦長に形成されており、このカード処理機４００の本体部４０１の前面パネルには、紙幣投入口４０２と、利用制限ランプ４０３ａと、利用制限表示部４０３ｂと、カード挿入／返却口４０４とが設けられている。
【００５３】
紙幣投入口４０２は、遊技客が挿入する１０００円札や１００００円札等の高額紙幣を受け入れて、この紙幣を図５に示した紙幣処理部４５０に取り込むための開口である。この紙幣投入口４０２は、カード処理機４００が利用制限による縮退運用モード時に高額紙幣が挿入された場合や紙幣識別部４４０により挿入された紙幣が不良紙幣（識別不能な紙幣）であると識別された場合には、挿入された高額紙幣や不良紙幣を返却する返却口となる。
【００５４】
利用制限ランプ４０３ａは、カード処理機４００が利用制限中である場合に点灯するランプである。なお、この利用制限ランプ４０３ａは、Ｔ／Ｃ１００から第三者管理センタ１５０へのカードデータの送信が可能となり、Ｔ／Ｃ１００による利用制限が解除された場合に消灯する。
【００５５】
利用制限表示部４０３ｂは、利用制限ランプ４０３ａと同様にカード処理機４００が利用制限中である場合に、所定のガイダンス（例えば、「利用制限中のため、高額紙幣は使用不可です」）を表示する表示部である。なお、本実施例では、利用制限ランプ４０３ａと利用制限表示部４０３ｂを設けているが、何れか一方のランプか表示部を設ける構成としてもよい。
【００５６】
カード挿入／返却口４０４は、プリペイドカードを受け入れてこれをカード読取部４１０に取り込むとともに、カード返却ボタン３６０が操作された場合にプリペイドカードを返却するための開口である。
【００５７】
一方、図４に示すように、パチンコ機３００の前面上部には、遊技者がパチンコ遊技を行う遊技領域３１０が設けられており、この遊技領域３１０の下部には上皿３２０と、玉の貸出などを行うための各種操作スイッチ（度数表示部３４０、玉貸出しボタン３５０、カード返却ボタン３６０）が設けられている。
【００５８】
また、このパチンコ機３００の内部には玉投出機構部３３０が設けられている。この玉投出機構部３３０は、玉貸しボタン３５０の押下操作に応答してカード処理機４００から玉貸し許可信号を受信した場合に、貸出度数分のパチンコ玉を上皿３２０に投出するものである。なお、この玉投出機構部３３０は、パチンコ玉が入賞し賞玉を投出する場合にも利用される。
【００５９】
度数表示部３４０は、プリペイドカードに価値付けられた残度数を表示するＬＥＤからなる表示部である。例えば、遊技客が新たに１００００円を投入した場合には、０度数のプリペイドカードに「１００度数」が価値付けられるため、この度数表示部３４０には「１００」が表示される。
【００６０】
玉貸出しボタン３５０は、遊技客がプリペイドカードの残度数の範囲内でパチンコ玉の貸し出しを受ける際に押下操作されるボタンであり、カード返却ボタン３６０は、台移動等を行うためにプリペイドカードを返却する際に押下操作されるボタンである。例えば、カード処理機４００に残度数「１０」のプリペイドカードを挿入して、５度数分の遊技を行った後にカード返却ボタン３６０を押下操作すると、カード挿入／返却口４０４から５度数が価値付けられたプリペイドカードが返却される。
【００６１】
（カード処理機４００の構成）
次に、カード処理機４００の内部構成を説明する。図５は、カード処理機４００の内部構成を示す機能ブロック図である。同図に示すように、カード処理機４００は、カード読取部４１０と、カード収納部４２０と、制御部４３０と、紙幣識別部４４０と、紙幣処理部４５０と、紙幣搬送路４６０と、通信Ｉ／Ｆ部４７０とを有する。
【００６２】
カード読取部４１０は、カード収納部４２０から繰り出された処理対象となるプリペイドカード若しくはカード挿入／返却口４０４から挿入されたプリペイドカードを保持するとともに、保持したプリペイドカードに記録されたカードＩＤ等を読み取るカードリーダである。すなわち、初期状態でカード収納部４２０に複数枚のプリペイドカードが収納されると、そのうちの一枚をカード読取部４１０の位置まで繰り出して該プリペイドカードを処理対象とし、カード挿入／返却口４０４からプリペイドカードが挿入されると、カード読取部４１０に所在するプリペイドカードはカード収納部４２０に搬送され、カード挿入／返却口４０４から挿入されたプリペイドカードがカード読取部４１０の位置まで搬送され処理対象となる。
【００６３】
カード収納部４２０は、度数が価値付けられていない（０度数）複数枚のプリペイドカードを収納する収納部である。遊技客がプリペイドカードを持参していなくとも現金により遊技可能にするため、事前に複数枚のプリペイドカードを収納したものである。遊技店の従業者が、このカード収納部４２０に複数枚のプリペイドカードを収納すると、そのうちの一枚がカード読取部４１０の位置に繰り出され、現金による度数価値付けの対象とされる。
【００６４】
制御部４３０は、カード処理機４００を全体制御する制御部であり、玉貸処理部４３１と、カード返却処理部４３２と、貸出処理部４３３と、メモリ４３４と、表示制御部４３６とを有する。
【００６５】
玉貸処理部４３１は、パチンコ機３００の玉貸出しボタン３５０の押下操作がなされた際に、Ｔ／Ｃ１００にプリペイドカードの残度数を問い合わせ、貸出度数以上の残度数があるならばパチンコ機３００に対してパチンコ玉の投出指示を行う処理部である。この投出指示を受け取ったパチンコ機３００は、貸出度数分のパチンコ玉をパチンコ機３００の上皿又は下皿に投出する。
【００６６】
カード返却処理部４３２は、パチンコ機３００のカード返却ボタン３６０の押下操作がなされた際に、カード読取部４１０の位置に保持したプリペイドカードをカード挿入／返却口４０４から排出する処理部である。
【００６７】
貸出処理部４３３は、Ｔ／Ｃ１００から送信される利用制限指示信号に基づいて、カード処理機４００による貸し出し処理が所定の利用制限による縮退運用となるように制御する処理機能と、通常の貸し出し処理となるように制御する処理機能とを備える処理部である。Ｔ／Ｃ１００から送信された利用制限指示信号を受信すると利用制限による縮退運用モードとなる。また、カード処理機４００が利用制限による縮退運用モード時に、Ｔ／Ｃ１００から利用制限解除信号が送信された場合、縮退運用モードから通常運用モードに復帰し、通常と同様の貸し出し処理を行う。
【００６８】
具体的に説明すると、貸出処理部４３３は、利用制限による縮退運用モード時に、紙幣投入口４０２から挿入された紙幣の金種が、紙幣識別部４４０により高額紙幣と識別された場合、紙幣処理部４５０に対して、返却指示信号を送信し、挿入された高額紙幣の返却を行う。これに対して、挿入された紙幣が紙幣識別部４４０により高額紙幣ではないと識別された場合、カード収納部４２０内のプリペイドカードに対して、紙幣識別部４４０により識別された金種分の価値付け処理を行う。
【００６９】
メモリ４３４は、モードフラグ４３５の値（「０」か「１」）を一時的に記憶する記憶部である。具体的に説明すると、本実施例では、Ｔ／Ｃ１００から送信された利用制限指示信号を受信すると、モードフラグ４３５には１が記憶され、利用制限解除信号を受信すると、モードフラグ４３５には０が記憶される。このモードフラグ４３５に記憶されたモードにより利用制限による縮退運用か通常の通常運用かが設定される。
【００７０】
表示制御部４３６は、カード処理機４００の本体部４０１に設けられた利用制限ランプ４０３ａの点灯及び利用制限表示部４０３ｂのガイダンス表示を制御する処理部である。具体的には、Ｔ／Ｃ１００から利用制限指示信号を受信した場合には利用制限ランプ４０３ａを点灯させるとともに、利用制限表示部４０３ｂに利用制限中である旨のガイダンスを表示する制御を行う。また、Ｔ／Ｃ１００と第三者管理センタ１５０との通信の途絶が復旧し、Ｔ／Ｃ１００から送信される利用制限解除信号を受信した場合には、利用制限ランプ４０３ａのランプ及び利用制限表示部４０３ｂによるガイダンスを消灯させる制御を行う。
【００７１】
紙幣識別部４４０は、紙幣投入口４０２から取り込まれた紙幣の真偽並びに金種を識別し、この識別結果を制御部４３０の貸出処理部４３３及び紙幣処理部４５０に通知する処理部である。なお、紙幣識別部４４０により、紙幣投入口４０２から投入された紙幣が識別不能若しくは偽造紙幣であると判定された場合には、この紙幣は紙幣投入口４０２から返却される。
【００７２】
紙幣処理部４５０は、遊技客が紙幣投入口４０２から投入した紙幣を収納するとともに、貸出処理部４３３から紙幣の返却指示信号が通知された場合に、紙幣投入口４０２から挿入された紙幣を返却する処理部である。なお、この紙幣処理部４５０に収納された紙幣は紙幣搬送路４６０に導出され島端回収ボックスに搬出される。通信Ｉ／Ｆ部４７０は、島コントローラ２００を介してＴ／Ｃ１００とデータ通信するためのインターフェース部である。
【００７３】
（Ｔ／Ｃによるカード処理機４００に対する通知制御手順）
次に、図１に示したＴ／Ｃ１００による通知制御手順について説明する。図６は、図１に示した遊技店の閉店時（例えば、２３時）に行われるＴ／Ｃからカード処理機４００に対する通知制御手順を示すフローチャートである。
【００７４】
同図に示すように、Ｔ／Ｃ１００は、先ず、このＴ／Ｃ１００から第三者管理センタ１５０にカードデータが送信できるか否かの判定を行い（ステップＳ１０１）、カードデータが送信不可である場合には（ステップＳ１０１否定）、カードデータの送信不可回数を示すカウント値（Ｃ）をインクリメントし（ステップＳ１０２）、その後、カードデータの送信不可回数が予め設定した所定の回数（カウント値）以上となったかの判定（Ｃ≧所定回数）を行う（ステップＳ１０３）。
【００７５】
そして、カードデータの送信不可回数が所定回数以上となった場合には（ステップＳ１０３肯定）、カード処理機４００に対して、利用制限を指示する利用制限指示信号を送信する（ステップＳ１０４）。
【００７６】
具体的に説明すると、例えば、カードデータの送信不可回数を示すカウント値（Ｃ）を３回と設定しておき、遊技店の閉店後、第三者管理センタ１５０に対して、Ｔ／Ｃ１００からカードデータの送信を行い、カードデータの累積未送信回数が３回に到達した時点で、カード処理機４００に対して利用制限指示信号が送信されることとなる。
【００７７】
これに対して、ステップＳ１０１の判定によりカードデータの送信が可であると判定された場合（ステップＳ１０１肯定）、カードデータの送信不可回数としてセットされたカウント値を初期化する（ステップＳ１０５）。その後、カード処理機４００が利用制限中であるかを判定し（ステップＳ１０６）、利用制限中である場合には（ステップＳ１０６肯定）、カード処理機４００に対して、利用制限解除信号を送信する（ステップＳ１０７）。
【００７８】
すなわち、ステップＳ１０５〜ステップＳ１０７では、Ｔ／Ｃ１００から第三者管理センタ１５０に対して、１回でもカードデータの送信ができた場合、現時点で利用制限中であるカード処理機４００に利用制限解除信号を送信するまでの制御手順を示している。すなわち、この利用制限解除信号の送信により利用制限による縮退運用モードを解除することができる。
【００７９】
ここで、図６に示すフローチャートでは、カード処理機４００に利用制限指示信号を送信する判定条件として、Ｔ／Ｃ１００から第三者管理センタ１５０に対して、カードデータの送信ができなかった回数（累積未送信回数）をもとに行っているが、送信不可回数ではなく、送信不可時間を利用制限指示信号の送信条件としてもよい。例えば、送信不可時間を３時間として設定し、Ｔ／Ｃ１００から第三者管理センタ１５０に対するカードデータの送信不可時間が３時間以上である場合に（カードデータの送信を行った際に、３時間経過してもＴ／Ｃ１００から第三者管理センタ１５０に対してカードデータの送信が不可である場合）、カード処理機４００に利用制限指示信号を送信するようにしてもよい。
【００８０】
また、同様に、カードデータの送信不可時間が３時間未満であっても累積未送信回数があらかじめ設定した所定回数以上（例えば、３回以上）である場合にカード処理機４００に利用制限指示信号を送信する構成としてもよい。
【００８１】
（カード処理機４００によるモードフラグの設定手順）
次に、図１に示したカード処理機４００によるモードフラグの設定について説明する。図７は、カード処理機４００によるモードフラグの設定制御手順を示している。具体的には、遊技店の閉店時にＴ／Ｃ１００から送信される利用制限指示信号或いは利用制限解除信号に応じて行われるモードフラグの設定制御手順を示している。
【００８２】
同図に示すように、カード処理機４００は、利用制限指示信号を受信したかの判定を行ない（ステップＳ２０１）、利用制限指示信号を受信したならば（ステップＳ２０１肯定）、カード処理機４００を利用制限による縮退運用モードとするためにメモリ４３４（図５）のモードフラグ４３５を１に設定する（ステップＳ２０２）。
【００８３】
このモードフラグ４３５を１に設定することにより、カード処理機４００は、利用制限による縮退運用モードとなり、具体的には、前述したように１００００円等の高額紙幣の使用が不可となり、１０００円のみの使用となる。従って、この場合、カード処理機４００に設けた利用制限ランプ４０３ａ（図４）が点灯し、利用制限表示部４０３ｂのガイダンス表示によりカード処理機４００が利用制限中であることを報知することとなる。
【００８４】
これに対して、利用制限指示信号を受信していないと判定された場合には（ステップＳ２０１否定）、利用制限解除信号を受信したかの判定を行ない（ステップＳ２０３）、利用制限解除信号を受信したならば（ステップＳ２０３肯定）、モードフラグ４３５を０に設定する（ステップＳ２０４）。すなわち、モードフラグ４３５の設定値を０に設定することにより、カード処理機４００は利用制限による縮退運用モードから利用制限が解除される通常運用モードとなる。
【００８５】
これにより、カード処理機４００は、１０００円札の使用及び１００００円札等の高額紙幣の使用が可能となる。従って、この場合、カード処理機４００に設けた利用制限ランプ４０３ａ及び利用制限表示部４０３ｂのガイダンス表示が消灯する。
【００８６】
（カード処理機４００による利用制限処理手順）
次に、図１に示したカード処理機４００による利用制限制御手順について説明する。図８は、カード処理機４００による利用制限処理手順を示している。具体的には、遊技店の開店時（カード処理機４００の電源ＯＮ時）、紙幣投入口４０２（図４）から挿入される紙幣の金種に応じて行われる利用制限処理手順を示している。
【００８７】
同図に示すように、先ず、メモリ４３４（図５）のモードフラグ４３５に記憶されたモードの読み出しを行う（ステップＳ３０１）。その後、この読み出したモードフラグが１であるかの判定を行ない（ステップＳ３０２）、このステップＳ３０２の判定によりモードフラグが１であるならば、利用制限ランプ４０３ａ（図４）を点灯制御させるとともに、利用制限表示部４０３ｂに利用制限中のガイダンスを表示する（ステップＳ３０３）。
【００８８】
その後、遊技客により紙幣投入口４０２（図４）を通じて、紙幣が挿入されたかを判定し（ステップＳ３０４）、紙幣が挿入されたならば（ステップＳ３０４肯定）、この挿入された紙幣の金種判定処理を行う（ステップＳ３０５）。この金種の判定は、紙幣識別部４４０（図５）により行われる。そして、この挿入された紙幣の金種が１０００円よりも高額な金種であるかの判定を行い（ステップＳ３０６）、紙幣の金種が１０００円よりも高額であると判定されたならば（ステップＳ３０６肯定）、その後、モードフラグが１であるかの判定を行い（ステップＳ３０７）、モードフラグが１であるならば（ステップＳ３０７肯定）、挿入された紙幣を紙幣投入口４０２を通じて返却する（ステップＳ３０８）。
【００８９】
具体的には、紙幣投入口４０２から挿入された紙幣の金種が１０００円よりも高額な紙幣である場合、モードフラグ４３５のモードをもとにカード処理機４００が利用制限による縮退運用モードになっているかの判定を行い、カード処理機４００が利用制限中であり、また、挿入された紙幣が高額紙幣である場合には、この高額紙幣は返却されることとなる。すなわち、これによって、遊技店のカードシステムを縮退させることができ、この結果、遊技店による不正行為を抑制させることができる。
【００９０】
これに対して、ステップＳ３０６の判定により、紙幣の金種が１０００円よりも高額な金種でないと判定された場合（ステップＳ３０６否定）、挿入された紙幣をそのまま受け入れて（ステップＳ３０９）、価値付け処理を行う（ステップＳ３１０）。
【００９１】
また、同様に、ステップＳ３０６の判定により、紙幣の金種が１０００円よりも高額な金種であると判定され（ステップＳ３０６肯定）、そして、ステップＳ３０７の判定により、モードフラグ４３５のモードが１でないと判定された場合には（ステップＳ３０７否定）、挿入された紙幣をそのまま受け入れて（ステップＳ３０９）、価値付け処理を行う（ステップＳ３１０）。
【００９２】
具体的には、紙幣投入口４０２から挿入された紙幣の金種が１０００円である場合、カード収納部４２０（図５）内に収納されたプリペイドカードのカードＩＤに１０度を価値付けて、カードデータ管理テーブル１３１（図３）に記憶させる。これにより、遊技客は、このプリペイドカードに価値付けられた度数（１０度）を使用して遊技を行うことができる。
【００９３】
上述してきたように、本実施例では、Ｔ／Ｃ１００は、遊技店の閉店後（例えば、２３時）に行われる第三者管理センタ１５０に対するカードデータの未送信が検知され、このカードデータの累積未送信回数が所定の回数以上であると判定された際には、カード処理機４００に対して利用制限を指示する利用制限指示信号を送信し、カード処理機４００は、Ｔ／Ｃ１００から送信された利用制限指示信号を受信した際には、縮退運用モードにより高額紙幣の使用を不可とする利用制限を行うこととしたので、第三者管理センタ１５０に送るべきカードデータに係る不正行為を図る遊技店に制裁を科しつつ該不正行為を効率良く未然に抑制することができる。
【００９４】
（他の実施例）
ここで、上述した実施例では、第三者管理センタ１５０に対するカードデータの未送信が検知され、このカードデータの未送信累積回数が所定の回数以上であると判定された際には、利用制限により高額紙幣を使用不可とする縮退運用を行うこととしているが、このような高額紙幣のみ使用不可とする縮退運用ではなく、低額紙幣（１０００円）の使用も不可とし、硬貨（５００円、１００円）による貸し出しだけを使用可とする縮退運用として構成することもできる。
【００９５】
さらに、利用制限時に即時、カードシステム自体の運用全般を停止することとしてもよい。この場合、カード処理機４００自体の使用が強制的に不可となり１０００円札の使用も停止することとなる。また、カード処理機４００は、会員が所有する会員カードによる貸し出しも可能であるが、利用制限による縮退運用時には会員カードの使用を強制的に停止とする構成としてもよい。さらに、カード処理機４００の運用の停止以外に、プリペイドカードを発行するカード発行機や残度数を精算するカード精算機も強制的に停止とする構成としてもよい。
【産業上の利用可能性】
【００９６】
本発明は、第三者管理センタに送るべきカードデータに係る不正行為を効率良く未然に抑制する場合に有用である。
【図面の簡単な説明】
【００９７】
【図１】本実施例に係るカードシステムの利用制限に関する概念を説明するための説明図である。
【図２】図１に示したターミナルコントローラ（Ｔ／Ｃ）の内部構成を示す機能ブロック図である。
【図３】図１に示したカードデータ管理テーブルの一例を示す構成図である。
【図４】図１に示したパチンコ機及びカード処理機の外観構成を示す正面図である。
【図５】図１に示したカード処理機の内部構成を示す機能ブロック図である。
【図６】図１に示したターミナルコントローラ（Ｔ／Ｃ）によるカード処理機４００に対する通知制御手順を示すフローチャートである。
【図７】図１に示したカード処理機によるモードフラグ設定制御手順を示すフローチャートである。
【図８】図１に示したカード処理機による利用制限制御手順を示すフローチャートである。
【符号の説明】
【００９８】
１００  ターミナルコントローラ（Ｔ／Ｃ）
１１０  表示部
１１１、４３６  表示制御部
１２０、４３０  制御部
１２１  通信状況検知部
１２２  利用制限判定部
１２３  利用制限処理部
１３０  記憶部
１３１  カードデータ管理テーブル
１４１  入力部
１４２  出力部
１４３、４７０  通信Ｉ／Ｆ部
１５０  第三者管理センタ
２００  島コントローラ
３００  パチンコ機
３１０  遊技領域
３２０  上皿
３３０  玉投出機構部
３４０  度数表示部
３５０  玉貸出しボタン
３６０  カード返却ボタン
４００  カード処理機
４０１  本体部
４０２  紙幣投入口
４０３ａ  利用制限ランプ
４０３ｂ  利用制限表示部
４０４  カード挿入／返却口
４１０  カード読取部
４２０  カード収納部
４３１  玉貸処理部
４３２  カード返却処理部
４３３  貸出処理部
４３４  メモリ
４３５  モードフラグ
４４０  紙幣識別部
４５０  紙幣処理部
４６０  紙幣搬送路
【図１】
2007202949.tif 000003
【図２】
2007202949.tif 000004
【図３】
2007202949.tif 000005
【図４】
2007202949.tif 000006
【図５】
2007202949.tif 000007
【図６】
2007202949.tif 000008
【図７】
2007202949.tif 000009
【図８】
2007202949.tif 000010